(57)【要約】【課題】ＰＯＰ広告等の広告情報をより容易に提示することが可能な電子棚札システムを得る。【解決手段】電子棚札システム１は、管理サーバとしてのＥＳＬサーバ３０と、ＥＳＬサーバ３０から受信した棚札データに基づく棚札情報を表示する棚札端末７０と、ＥＳＬサーバ３０から受信した広告データ３１ｂに基づく広告情報を表示する広告端末６０と、を備えた。よって、紙媒体等のＰＯＰを書き換える場合に比べて、広告データを変更することにより広告情報を更新しやすくなる。【選択図】図１
2011186659.tif 000002
【特許請求の範囲】
【請求項１】
受信した棚札データに基づく棚札情報を表示する棚札端末と、
受信した広告データに基づく広告情報を表示する広告端末と、
前記棚札端末に対して前記棚札データを送信するとともに、前記広告端末に対して前記広告データを送信する管理サーバと、
を備えたことを特徴とする電子棚札システム。
【請求項２】
請求項１に記載の電子棚札システムで使用される前記広告端末であって、
前記管理サーバから受信した、前記広告情報の表示を指示する表示指示信号に基づいて、前記広告情報を表示することを特徴とする広告端末。
【請求項３】
請求項１に記載の電子棚札システムで使用される前記広告端末であって、
複数の前記広告データを記憶する記憶部と、所定の表示部に複数の前記広告データのそれぞれに基づく前記広告情報を表示させる表示制御部と、を有することを特徴とする広告端末。
【請求項４】
前記表示制御部は、予め設定された表示タイミングで、前記表示部に複数の前記広告データのそれぞれに基づく前記広告情報を表示させることを特徴とする請求項３に記載の広告端末。
【請求項５】
入力操作部を有し、
前記入力操作部の操作に基づいて前記広告情報を表示することを特徴とする請求項２〜４のうちいずれか一つに記載の広告端末。
【請求項６】
コンピュータを、請求項２〜５のうちいずれか一つに記載の前記広告端末の表示部に前記管理サーバから受信した前記広告データに基づく前記広告情報を表示させる表示制御部、として機能させるためのプログラム。
【発明の詳細な説明】
【技術分野】
【０００１】
本発明は、電子棚札システム、広告端末、およびプログラムに関する。
【背景技術】
【０００２】
従来、商品の値段等を表示する棚札を電子化した電子棚札システムが知られている。この電子棚札システムでは、ハンディターミナル等で、商品を識別するコードと棚札を識別するコードとが読み取られて、電子棚札システムにて商品と棚札とが関連づけられる。そして、商品のデータが、当該商品に関連付けられた棚札に、無線あるいは有線のネットワークを介して送信され、当該棚札で商品の値段等の情報が表示される（例えば特許文献１）。
【発明の概要】
【発明が解決しようとする課題】
【０００３】
ところで、従来、店舗では、販売を促進したい商品のＰＯＰ（Point Of Purchase）広告等を表示させることが行われている。
【０００４】
しかしながら、商品のＰＯＰ広告は紙媒体で行われていたため、更新に手間がかかるという問題があった。特に、タイムセール等の即時性が求められる広告を出したい場合に、対応が難しかった。
【０００５】
そこで、本発明は、ＰＯＰ広告等の広告情報をより容易に提示することが可能な電子棚札システムを得ることを目的とする。
【課題を解決するための手段】
【０００６】
本発明にかかる電子棚札システムにあっては、受信した棚札データに基づく棚札情報を表示する棚札端末と、受信した広告データに基づく広告情報を表示する広告端末と、前記棚札端末に対して前記棚札データを送信するとともに、前記広告端末に対して前記広告データを送信する管理サーバと、を備えたことを特徴の一つとする。
【発明の効果】
【０００７】
本発明によれば、電子棚札システムを利用してＰＯＰ広告等の広告情報をより容易に提示することができる。
【図面の簡単な説明】
【０００８】
【図１】図１は、本発明の実施形態にかかる電子棚札システムの概略構成を示すブロック図である。
【図２】図２は、商品データの一例を示す図である。
【図３】図３は、ＥＳＬサーバから広告端末に向けて送信されるデータの一例を示す図である。
【図４】図４は、商品データベース、ＰＯＳサーバ、およびＥＳＬサーバの概略構成を示すブロック図である。
【図５】図５は、アクセスポイントおよび中継機の概略構成を示すブロック図である。
【図６】図６は、棚札端末の概略構成を示すブロック図である。
【図７】図７は、広告端末の概略構成を示すブロック図である。
【図８】図８は、ＥＳＬサーバのＣＰＵの概略構成を示すブロック図である。
【図９】図９は、広告端末のＣＰＵの概略構成を示すブロック図である。
【図１０】図１０は、ＥＳＬサーバが広告データを送信する手順の一例を示すフローチャートである。
【図１１】図１１は、広告端末が広告情報を表示する手順の一例を示すフローチャートである。
【図１２】図１２は、広告端末が広告情報を表示する手順の別の一例を示すフローチャートである。
【図１３】図１３は、広告端末に表示された情報の例を示す図であり、（ａ）は棚札情報、（ｂ）は広告情報、（ｃ）は別の広告情報を示す図である。
【発明を実施するための形態】
【０００９】
以下、本発明の実施形態について、図面を参照しながら詳細に説明する。
【００１０】
図１に示すように、本発明の一実施形態にかかる電子棚札システム１は、商品ＤＢ（データベース）１０や、ＰＯＳ（Point Of Sales）サーバ２０、ＥＳＬ（Electronic Shelf label：電子棚札）サーバ３０、ハンディターミナル４０、アクセスポイント５０、中継機５１、広告端末６０、棚札端末７０等を備えている。本実施形態では、ＥＳＬサーバ３０が管理サーバに相当する。
【００１１】
この電子棚札システム１では、商品ＤＢ１０や、ＰＯＳサーバ２０、ＥＳＬサーバ３０、アクセスポイント５０、中継機５１等が、有線ネットワーク２を介して接続されている。また、ハンディターミナル４０等が、無線伝送路３を介してアクセスポイント５０に接続され、広告端末６０、棚札端末７０等が、無線伝送路３を介して中継機５１に接続されている。本実施形態では、有線ネットワーク２や無線伝送路３等が、電気通信回線に相当する。
【００１２】
商品ＤＢ１０は、店舗が扱う商品に関する各種の情報を記憶しかつ管理するデータベース装置である。商品ＤＢ１０には、図２に示すように、商品コードに対応づけて、商品名、商品の単価、商品の売価、商品分類コード等の情報を示す商品データ１０ａが格納されている。
【００１３】
ＰＯＳサーバ２０は、ＰＯＳシステムの中枢を担うコンピュータであり、図示しない有線あるいは無線の通信回線を介して図示しないＰＯＳ端末と接続されている。ＰＯＳ端末は、顧客が買上げた商品の販売データを登録処理を実行するとともに、現金、クレジットカード、プリペイドカード、電子マネー、デビットカード等の種々の支払い方法に応じて決済処理を実行する。
【００１４】
ＥＳＬサーバ３０は、ＥＳＬシステムを管理する情報処理装置を構成し、広告端末６０や棚札端末７０の動作を制御する。具体的には、ＥＳＬサーバ３０は、棚札端末７０には、対応する商品の棚札情報を表示させるとともに、広告端末６０には、対応する広告情報を表示させる。
【００１５】
広告端末６０に表示させる広告情報は、予めＥＳＬサーバ３０や図示しないパーソナルコンピュータ等で予め準備（作成）される。ＥＳＬサーバ３０の記憶部１０６（図４参照）等には、広告端末６０の端末コード（例えばＩＰアドレス等）と、広告データとが、対応づけて格納される。ＥＳＬサーバ３０は、これらのデータを記憶部から取得し、図３に示すようなデータ３１を、広告端末６０に向けて送信する。データ３１は、端末コード３１ａ、広告データ（１）３１ｂ、広告データ（１）３１ｂに対応するタイミングデータ（１）３１ｃ、広告データ（２）３１ｂ、広告データ（２）３１ｂに対応するタイミングデータ（２）３１ｃ等を含んでいる。タイミングデータ３１ｃは、広告データ３１ｂを広告端末６０で表示するタイミングを示すデータであり、例えば、表示時刻（例えば１２時、１５時、１７時等）や、表示間隔（例えば、３時間毎、２時間毎等）等とすることができる。
【００１６】
商品ＤＢ１０や、ＰＯＳサーバ２０、ＥＳＬサーバ３０等は、コンピュータとして構成することができる。図４に示すように、本実施形態では、商品ＤＢ１０、ＰＯＳサーバ２０、およびＥＳＬサーバ３０として動作するコンピュータは、それぞれ、ＣＰＵ（Central Processing Unit）１０１や、ＲＯＭ（Read Only Memory）１０２、ＲＡＭ（Random Access Memory）１０３、表示部１０４、入力部１０５、記憶部１０６、媒体読取部１０７、通信インタフェース１０８等を備えており、これら各構成要素同士がバス１０９で相互に接続されている。このうち、ＲＯＭ１０２は、ＢＩＯＳ等を記憶した読み出し専用メモリである。ＲＡＭ１０３は、各種データを書き換え可能に記憶する。表示部１０４は、例えばＬＣＤ（Liquid Crystal Display）等として構成され、処理経過や結果等を表示する。入力部１０５は、例えばキーボードやマウス等のポインティングデバイスとして構成され、操作者の操作に応じた入力データをＣＰＵ１０１に送る。記憶部１０６は、例えばハードディスク（ＨＤＤ，Hard  Disk  Drive）等として構成され、各種データやプログラム等を記憶する。媒体読取部１０７は、例えばＣＤ−ＲＯＭドライブ等として構成され、記憶媒体Ｍとの間でデータのやりとりを行う。通信インタフェース１０８は、各通信回線を介して外部の他の機器との間の通信を司る。
【００１７】
各コンピュータでは、オペレータが電源を投入すると、ＣＰＵ１０１がＲＯＭ１０２内のローダ（プログラム）を起動させ、さらに、記憶部１０６よりＯＳ（Operating System、コンピュータのハードウェアとソフトウェアとを管理するプログラム）をＲＡＭ１０３に読み込んで、当該ＯＳを起動する。ＯＳは、オペレータの操作に応じてアプリケーションプログラム等を起動したり、情報を読み込んだり、保存を行ったりする。なお、アプリケーションプログラムは、ＯＳ上で動作するものに限らず、後述の各種処理の一部の実行をＯＳに肩代わりさせるものであってもよいし、所定のアプリケーションソフトやＯＳなどを構成する一群のプログラムファイルの一部として含まれているものであってもよい。
【００１８】
そして、本実施形態では、記憶部１０６等に記憶されているアプリケーションプログラムの違いによって、各コンピュータが、商品ＤＢ１０、ＰＯＳサーバ２０、およびＥＳＬサーバ３０として、機能している。
【００１９】
また、一般的に、コンピュータの記憶部１０６にインストールされるアプリケーションプログラムは、ＣＤ−ＲＯＭやＤＶＤ等の各種の光ディスク、各種光磁気ディスク、フレキシブルディスク等の各種磁気ディスク、半導体メモリ等の各種方式のメディア等の記憶媒体Ｍに記録され、この記憶媒体Ｍに記録された動作プログラムが記憶部１０６にインストールされる。このため、ＣＤ−ＲＯＭ等の光情報記録メディアやＦＤ等の磁気メディア等の可搬性を有する記憶媒体Ｍもアプリケーションプログラムを記憶する記憶媒体となり得る。さらには、アプリケーションプログラムは、例えば通信インタフェース１０８を介して外部から取り込まれ、記憶部１０６にインストールされてもよい。
【００２０】
ハンディターミナル４０は、店舗の店員等により操作される携帯型の情報処理装置であり、棚札端末７０の端末コードと、商品の商品コードとを読み取ることができる。ハンディターミナル４０によって読み取られた端末コードおよび商品コードは、アクセスポイント５０を介してＥＳＬサーバ３０に送信され、ＥＳＬサーバ３０の記憶部１０６に相互に対応付けて記憶される。
【００２１】
また、アクセスポイント５０および中継機５１は、一般的な無線通信装置である。図５に示すように、アクセスポイント５０および中継機５１としての無線通信装置は、プロトコル変換等の情報処理を行うＣＰＵ２０１、ＢＩＯＳや、各種プログラム、設定情報等を記憶した不揮発性の記憶部２０２、各種データを書き換え可能に記憶するＲＡＭ２０３、有線ＬＡＮ上の他の機器と通信により情報を伝達するための有線インタフェース２０４、無線の他の機器と通信により情報を伝達するための無線インタフェース２０５を備えており、これらの各部がバス２０６に接続されている。アクセスポイント５０は、有線ネットワーク２に接続された機器（ＥＳＬサーバ３０）とハンディターミナル４０等とを接続するための無線ネットワーク装置であって、無線ＬＡＮ（Local Area Network）−有線ＬＡＮのプロトコル変換を行う。アクセスポイント５０と中継機５１とは、通信方式が相違している。中継機５１には、近距離通信用の無線通信規格（例えばIEEE802.15.4規格等）や、赤外線通信規格等を適用するのが好適である。近距離通信とすることで、棚札端末７０や広告端末６０の電力消費を少なくでき、電池の交換頻度を減らすことができる上、電池を交換しない構成とした場合には、長寿命化を図れるからである。また、中継機５１と通信する各端末には、ＩＰアドレスを割り当てる必要が無いので、棚札端末７０や広告端末６０の設置数を増大しやすいという利点もある。
【００２２】
棚札端末７０は、店舗内の商品陳列棚の縁等に設けられ、対応する商品に関する情報（例えば、商品名、値段、重量等）を表示（提示）する。棚札端末７０は、図６に示すように、表示部７０ａや、バッテリ７３、通信部７４、記憶部７５、タイマ部７６、制御部７７等を備えている。
【００２３】
また、広告端末６０は、図７に示すように、ＣＰＵ６１、ＲＯＭ６０ａ、ＲＡＭ６０ｂ、無線インタフェース（Ｉ／Ｆ）６０ｃ、ディスプレイコントローラ６０ｅ、入力操作部コントローラ６０ｆ、メモリコントローラ６０ｇを備えている。そして、図７に示すように、これらは、アドレスバス、データバス等のバスライン６０ｈを介して接続されている。また、広告端末６０は、アンテナ６０ｉ、ディスプレイ（例えば、ＬＣＤ、電子ペーパ等）６０ｊ、入力操作部６０ｋ、および記憶部としてのＮＶＲＡＭ（Non Volatile RAM）６０ｍ等を備えている。なお、中継機５１の通信方式が赤外線通信である場合、無線インタフェース６０ｃは、赤外線通信インタフェースとなる。
【００２４】
ＣＰＵ６１は、ＲＯＭ６０ａに記憶されたコンピュータ読み取り可能な各種プログラムを実行することにより、広告端末６０を制御する。ＲＯＭ６０ａは、ＣＰＵ６１が実行する各種プログラムや各種データを記憶する。ＲＡＭ６０ｂは、ＣＰＵ６１が各種プログラムを実行する際に一時的にデータやプログラムを記憶する。
【００２５】
無線インタフェース６０ｃは、アンテナ６０ｉを介して無線接続される他の装置とのデータ通信を制御する。ディスプレイコントローラ６０ｅは、広告情報を表示するディスプレイ６０ｊの動作を制御してＣＰＵ６１から与えられる表示データに対応した文字等をカラー表示させる。入力操作部コントローラ６０ｆは、例えば、押しボタンやキースイッチ等として構成される入力操作部６０ｋから操作者による操作に対応した信号を取込んでＣＰＵ６１に通知する。また、ディスプレイ６０ｊをタッチパネル式のディスプレイとして構成し、入力操作部６０ｋとしてタッチパネルセンサを装備してもよい。
【００２６】
メモリコントローラ６０ｇは、ＣＰＵ６１からの指示信号に基づいてＮＶＲＡＭ６０ｍに対するデータの書き込みおよび読み出しを制御する。ＮＶＲＡＭ６０ｍは、ＥＳＬサーバ３０から無線インタフェース６０ｃを介して受け取ったデータ（広告データ３１ｂやそれに対応するタイミングデータ３１ｃ）を、記憶する。また、広告端末６０が、近接配置されたり電気的に関連付けされたりすることで特定の商品に対応づけられて、棚札端末７０としての機能も備えた場合、棚札データ３１ｄも記憶される。棚札データ３１ｄは、広告データ３１ｂを含むデータとは別に、ＥＳＬサーバ３０から送信される。
【００２７】
ここで、図８〜１３を参照して、広告端末６０での広告情報の表示について説明する。図８に示すように、ＥＳＬサーバ３０のＣＰＵ３２（１０１）は、データ取得部３２ａおよびデータ送信制御部３２ｂとして機能する。よって、ＣＰＵ３２を動作させるプログラムには、少なくとも、データ取得部３２ａとして動作させるモジュールと、データ送信制御部３２ｂとして動作させるモジュールとが含まれている。
【００２８】
また、図９に示すように、広告端末６０のＣＰＵ６１は、表示制御部６１ａ、リードライト制御部６１ｂ、および表示タイミング判別部６１ｃとして機能する。よって、ＣＰＵ６１を動作させるプログラムには、少なくとも、表示制御部６１ａとして動作させるモジュール、リードライト制御部６１ｂとして動作させるモジュール、および表示タイミング判別部６１ｃとして動作させるモジュールが含まれている。
【００２９】
図１０に示すように、ＥＳＬサーバ３０のＣＰＵ３２は、まずは、広告データ３１ｂ、端末コード３１ａ、タイミングデータ３１ｃ等を取得し（ステップＳ１０，Ｓ１１）、それらのデータを所定のタイミングで広告端末６０へ送信する（ステップＳ１２）。ＥＳＬサーバ３０が広告端末６０へデータを送信するタイミングは、例えば、開店前（準備期間中）や、営業中等、種々に設定することができる。開店前に送信する場合には、ＥＳＬサーバ３０は、複数の広告データ３１ｂを、それぞれに対応するタイミングデータ３１ｃとともに送信することができる。あるいは、ＥＳＬサーバ３０は、広告端末６０で広告情報を表示させるタイミングに合わせて、その直前に、広告データ３１ｂを送信することができる。その場合、広告端末６０は、広告データ３１ｂを受信すると直ちにその広告データ３１ｂに基づく広告情報を表示する。
【００３０】
複数の広告データ３１ｂが、ＥＳＬサーバ３０から広告端末６０に予め送信された場合、図１１に示すように、広告端末６０のＣＰＵ６１は、まずはリードライト制御部６１ｂとして動作し、受信した広告データ３１ｂを、記憶部としてのＮＶＲＡＭ６０ｍに格納する。このとき、リードライト制御部６１ｂは、広告データ３１ｂに対応するタイミングデータ３１ｃも格納する（ステップＳ２０）。
【００３１】
次に、ＣＰＵ６１は、営業時間内である場合（ステップＳ２１でＹｅｓ）、表示タイミング判別部６１ｃとして動作し、現在時刻がいずれかのタイミングデータ３１ｃに対応する表示タイミングであるか否かを判別する（ステップＳ２２）。現在時刻が表示タイミングである場合（ステップＳ２２でＹｅｓ）、ＣＰＵ６１は、表示制御部６１ａとして動作し、ディスプレイ６０ｊにタイミングデータ３１ｃに対応する広告データ３１ｂに基づく広告情報を表示させる（ステップＳ２３）。なお、営業時間内でなかった場合（ステップＳ２１でＮｏ）、この処理は終了される。また、現在時刻がいずれかのタイミングデータ３１ｃに対応する表示タイミングでなかった場合（ステップＳ２２でＮｏ）、ステップＳ２１の処理に戻る。図１１に示す手順により、広告端末６０では、ＥＳＬサーバ３０から受信した広告データ３１ｂに基づく広告情報を、当該広告データ３１ｂに対応するタイミングデータ３１ｃによって指定されたタイミングで、表示することができる。
【００３２】
また、広告端末６０は、操作者の入力操作に応じて、広告データ３１ｂに基づく広告情報を表示することができる。広告端末６０の記憶部としてのＮＶＲＡＭ６０ｍに広告データ３１ｂが複数格納されている場合、広告端末６０は、操作者の入力操作に応じて、複数の広告データ３１ｂのそれぞれに基づく複数の広告情報を切り換えて表示することができる。この場合、図１２に示すように、広告端末６０のＣＰＵ６１は、表示制御部６１ａとして動作し、操作者による入力操作部６０ｋの所定の操作を示す信号を入力操作部コントローラ６０ｆから受け取ると（ステップＳ３０でＹｅｓ）、広告情報を表示することができる（ステップＳ３１）。入力操作部６０ｋで所定の入力操作が行われなかった場合（ステップＳ３０でＮｏ）、広告端末６０は広告情報を表示しない。なお、広告情報を表示させるための入力操作部６０ｋの入力操作は、店員が行ってもよいし、客が行ってもよい。
【００３３】
また、ＥＳＬサーバ３０が広告端末６０に向けて表示指示信号を送信し、これを受けた広告端末６０が、広告情報を表示することができる。この場合、ＥＳＬサーバ３０は、管轄する全ての広告端末６０に向けて表示指示信号を送信し、当該全ての広告端末６０が広告情報を表示することができる。その際、ＥＳＬサーバ３０は、広告情報として表示させる広告データ３１ｂを指定するデータを送信することができる。また、ＥＳＬサーバ３０は、端末コード３１ａとともに表示指示信号を送信し、端末コード３１ａに対応する広告端末６０のみが広告情報を表示することができる。
【００３４】
広告端末６０のディスプレイ６０ｊには、図１３（ａ）〜（ｃ）に示すように、広告情報Ｉａや棚札情報Ｉｂを表示することができる。ディスプレイ６０ｊの表示画面６０ｎの周縁部（前面）６０ｐには、入力操作部６０ｋとしての押圧ボタンが設けられている。操作者（例えば店員や客等）は、この入力操作部６０ｋを操作することで、表示画面６０ｎに表示される情報を切り替えることができる。ディスプレイ６０ｊは、好適には、棚札端末７０と比較して数倍（例えば２〜５倍）程度のより大きな表示画面６０ｎを有しており、例えば、商品の陳列棚の前縁部や、陳列棚上等に設置される。
【００３５】
この例では、広告端末６０は、図１３（ａ）に示すように、広告情報Ｉａの表示タイミングではないときや、操作者が入力操作部６０ｋを操作していない状態、ＥＳＬサーバ３０からの表示指示信号を受け取っていない状態では、棚札情報Ｉｂを表示することができる。また、広告端末６０は、図１３（ｂ）に示すように、広告情報Ｉａの表示タイミングであるときや、操作者が入力操作部６０ｋを操作した状態、ＥＳＬサーバ３０からの表示指示信号を受け取った状態では、広告情報Ｉａを表示することができる。さらに、図１３（ｃ）に示すように、広告端末６０は、別の広告情報Ｉａを表示することもできる。
【００３６】
図１３の例では、表示制御部６１ａは、記憶部としてのＮＶＲＡＭ６０ｍから、広告データ３１ｂと棚札データ３１ｄとを取得して、これらの合成画面データを生成して、ディスプレイ６０ｊの表示画面６０ｎに表示させている。さらに、この例では、表示制御部６１ａの制御により、図１３（ｂ）および（ｃ）のように広告情報Ｉａを表示する場合には、図１３（ａ）のように棚札情報Ｉｂのみを表示する場合に比べて、棚札情報Ｉｂの大きさを小さくしている。こうすることで、広告情報Ｉａをより目立たせることができる。なお、この例では、広告情報Ｉａとともに棚札情報Ｉｂを表示しているが、棚札情報Ｉｂと広告情報Ｉａとを切り替えて表示してもよいし、広告情報Ｉａのみを表示してもよい。
【００３７】
以上、説明したように、本実施形態にかかる電子棚札システム１は、管理サーバとしてのＥＳＬサーバ３０と、ＥＳＬサーバ３０から受信した棚札データに基づく棚札情報を表示する棚札端末７０と、ＥＳＬサーバ３０から受信した広告データ３１ｂに基づく広告情報を表示する広告端末６０と、を備えた。よって、広告データを変更することにより広告情報を更新しやすくなるという利点がある。また、複数の広告端末６０で、一斉に広告情報を表示することが可能となり、広告情報による宣伝効果を高めることができる。また、商品の売り場と離れた広告端末６０で、当該商品の広告情報を表示することができる。また、棚札データを送信する電気通信回線を利用して、広告データを表示することができるため、棚札データを送信する電気通信回線と広告データを送信する電気通信回線とを別個に構築する場合に比べて、より簡素なシステムとして得ることができる。また、既に電子棚札システムを導入している店舗等では、広告端末６０の追加と、ＥＳＬサーバ３０のプログラムを更新する程度の改修で済むため、比較的低コストで容易に導入しやすいという利点がある。
【００３８】
また、本実施形態では、広告端末６０は、ＥＳＬサーバ３０が送信した表示指示信号に基づいて広告情報を表示することができる。よって、広告端末６０での広告情報の表示を、ＥＳＬサーバ３０から遠隔制御することができる。また、複数の広告端末６０での広告情報の表示を一括して制御することができる。
【００３９】
また、本実施形態では、広告端末６０は、複数の広告データを記憶する記憶部としてのＮＶＲＡＭ６０ｍと、表示部としてのディスプレイ６０ｊに複数の広告データ３１ｂのそれぞれに基づく広告情報を表示させる表示制御部６１ａと、を有する。よって、広告端末６０は、複数の広告情報を容易に切り換えて表示することができる。また、多くの広告情報を一々広告データ３１ｂの通信を行わずにより迅速に切り替えて表示することが可能となる。
【００４０】
また、本実施形態では、表示制御部６１ａは、予め設定された表示タイミングで、表示部としてのディスプレイ６０ｊに複数の広告データ３１ｂのそれぞれに基づく広告情報を表示させることができる。よって、広告端末６０は、予め適切に設定された表示タイミングで広告情報を切り換えて表示することができるため、宣伝効果をより一層高めることができる。
【００４１】
また、本実施形態では、広告端末６０は、入力操作部６０ｋを有し、操作者による入力操作部６０ｋの操作に基づいて広告情報を表示することができる。よって、広告端末６０は、操作者のニーズや読む速さに応じて広告情報を表示したり、切り換えたりすることができる。特に、客による入力操作を可能とするため、図１３に示すように、入力操作部６０ｋは広告端末６０の前面に配置するのが好適である。
【００４２】
以上、本発明の好適な実施形態について説明したが、本発明は上記実施形態には限定されず、種々の変形が可能である。
【産業上の利用可能性】
【００４３】
以上のように、本発明にかかる電子棚札システムは、ＰＯＰ広告を表示するシステムとして有用であり、特に店舗内で用いるシステムとして有用である。
【符号の説明】
【００４４】
１  電子棚札システム
２  有線ネットワーク（電気通信回線）
３  無線伝送路（電気通信回線）
３０  ＥＳＬサーバ（管理サーバ）
６０  広告端末
６０ｊ  ディスプレイ（表示部）
６０ｋ  入力操作部
６０ｍ  ＮＶＲＡＭ（記憶部）
６１ａ  表示制御部
７０  棚札端末
【先行技術文献】
【特許文献】
【００４５】
【特許文献１】特開２００８−１２３０４６公報
【図１】
2011186659.tif 000003
【図２】
2011186659.tif 000004
【図３】
2011186659.tif 000005
【図４】
2011186659.tif 000006
【図５】
2011186659.tif 000007
【図６】
2011186659.tif 000008
【図７】
2011186659.tif 000009
【図８】
2011186659.tif 000010
【図９】
2011186659.tif 000011
【図１０】
2011186659.tif 000012
【図１１】
2011186659.tif 000013
【図１２】
2011186659.tif 000014
【図１３】
2011186659.tif 000015